(57)【要約】【課題】多数の窓部を少数の光源で発光させることができる電気機器を提供する。【解決手段】シート体１３０は、端面に光源１２０が対向しており、表側に複数の窓部１１１が対向しており、その窓部１１１の位置ごとに裏面に光誘導部が形成されている。光源１２０からシート体１３０に入射される光線が裏面の光誘導部により表側の窓部１１１に誘導されるので、少数の光源１２０で多数の窓部１１１を発光させることができる。【選択図】図１
2007220341.tif 000002
【特許請求の範囲】
【請求項１】
複数の透光性の窓部が形成されている筐体と、
前記筐体の内部に配置されている光源と、
表面が前記筐体の複数の窓部に対向しているとともに端面が前記光源に対向している透光性のシート体と、を有しており、
前記シート体は、前記光源から入射されて透過する光線を表面に誘導する光誘導部が前記窓部と個々に対向する複数の位置の裏面に形成されている電気機器。
【請求項２】
複数の透光性の窓部が形成されている筐体と、
前記筐体の内部に配置されている光源と、
表面が前記筐体の複数の窓部に対向しているとともに端面が前記光源に対向している透光性のシート体と、を有しており、
前記シート体の前記光源と対向している部分が他部より分厚く形成されている電気機器。
【請求項３】
複数の透光性の窓部が形成されている筐体と、
前記筐体の内部に配置されている光源と、
表面が前記筐体の複数の窓部に対向しているとともに端面が前記光源に対向している透光性のシート体と、を有しており、
前記シート体の前記光源に対向している前記端面が凹状に形成されている電気機器。
【請求項４】
複数の透光性の窓部が形成されている筐体と、
前記筐体の内部に配置されている光源と、
表面が前記筐体の複数の窓部に対向しているとともに端面が前記光源に対向している透光性のシート体と、を有しており、
前記筐体の前記窓部が貫通孔からなり、
前記窓部に個々に係合する複数の凸部が前記シート体の表面に形成されている電気機器。
【請求項５】
前記シート体の前記光源に対向している前記端面が凹状に形成されている請求項４に記載の電気機器。
【請求項６】
前記シート体の前記光源と対向している部分が他部より分厚く形成されている請求項３ないし５の何れか一項に記載の電気機器。
【請求項７】
前記シート体は、前記光源から入射されて透過する光線を表面に誘導する光誘導部が前記窓部と個々に対向する複数の位置の裏面に形成されている請求項２ないし６の何れか一項に記載の電気機器。
【請求項８】
前記光誘導部は、前記シート体の内部を透過する光線を表側に散乱する請求項１または７に記載の電気機器。
【請求項９】
前記シート体の裏面に塗布されている塗料で前記光誘導部が形成されている請求項８に記載の電気機器。
【請求項１０】
前記塗料が不透明である請求項９に記載の電気機器。
【請求項１１】
前記塗料が白色である請求項１０に記載の電気機器。
【請求項１２】
前記シート体の裏面に形成されている凹凸で前記光誘導部が形成されている請求項８に記載の電気機器。
【請求項１３】
前記シート体の裏面に形成されている凹部で前記光誘導部が形成されている請求項１または７に記載の電気機器。
【請求項１４】
前記光誘導部が前記窓部より大きく形成されている請求項１または７ないし１３の何れか一項に記載の電気機器。
【請求項１５】
前記シート体は、前記窓部と個々に対向する複数の位置の表面にも前記光線を表側に誘導する光誘導部が形成されている請求項１または７ないし１４の何れか一項に記載の電気機器。
【発明の詳細な説明】
【技術分野】
【０００１】
本発明は、発光する窓部が筐体に形成されている電気機器に関し、特に、複数の窓部が同時に発光する電気機器に関する。
【背景技術】
【０００２】
現在、携帯電話端末などの電気機器では、着信などを利用者に明示するため、発光する窓部が筐体に形成されている製品がある。このような電気機器では、例えば、筐体に窓部となる貫通孔が形成されており、その貫通孔に透光性の樹脂などが装着されている。その筐体の内部には窓部と対向する位置に光源が配置されており、この光源が発光することで筐体の窓部が発光する。
【０００３】
さらに、上述の窓部を複数とし、その複数の窓部を一個の光源で発光させる提案もある(例えば、特許文献１参照)。この電気機器は、例えば、一個の光源に透光性のシート体の端面を対向させ、そのシート体の表面に複数の光誘導部を形成している。
【０００４】
その光誘導部は、シート体の表面に微細な凹凸を形成することなどで形成されており、シート体の内部を透過する光線を表面に誘導する。このため、シート体の表面の複数の位置に光誘導部を形成しておくことにより、一個の光源で筐体の複数の窓部を発光させることが可能となる。
【特許文献１】特開２００３−３０８７５２号
【発明の開示】
【発明が解決しようとする課題】
【０００５】
上述した電気機器では、一個の光源で複数の窓部を発光させるため、光源に端面を対向させたシート体の表面に光誘導部を形成している。しかし、本発明者が実際に上述のようなシート体を試作して実験したところ、光誘導部の発光は微弱で実用性に乏しいことが判明した。
【課題を解決するための手段】
【０００６】
本発明の第一の電気機器は、複数の透光性の窓部が形成されている筐体と、筐体の内部に配置されている光源と、表面が筐体の複数の窓部に対向しているとともに端面が光源に対向している透光性のシート体と、を有しており、シート体は、光源から入射されて透過する光線を表面に誘導する光誘導部が窓部と個々に対向する複数の位置の裏面に形成されていることにより、シート体を透過する光線が裏面の光誘導部で窓部に誘導される。
【０００７】
本発明の第二の電気機器は、複数の透光性の窓部が形成されている筐体と、筐体の内部に配置されている光源と、表面が筐体の複数の窓部に対向しているとともに端面が光源に対向している透光性のシート体と、を有しており、シート体の光源と対向している部分が他部より分厚く形成されていることにより、光源から出射される光線がシート体の厚さ方向に拡散しても、その光線がシート体の分厚い部分に良好に入射される。
【０００８】
本発明の第三の電気機器は、複数の透光性の窓部が形成されている筐体と、筐体の内部に配置されている光源と、表面が筐体の複数の窓部に対向しているとともに端面が光源に対向している透光性のシート体と、を有しており、シート体の光源に対向している端面が凹状に形成されていることにより、光源から出射される光線がシート体の平面方向に拡散しても、その光線がシート体の端面に良好に入射される。
【０００９】
本発明の第四の電気機器は、複数の透光性の窓部が形成されている筐体と、筐体の内部に配置されている光源と、表面が筐体の複数の窓部に対向しているとともに端面が光源に対向している透光性のシート体と、を有しており、筐体の窓部が貫通孔からなり、窓部に個々に係合する複数の凸部がシート体の表面に形成されていることにより、シート体を透過する光線が窓部に露出している凸部から放射される。
【００１０】
なお、本発明で云う各種の構成要素は、必ずしも個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等も可能である。
【発明の効果】
【００１１】
本発明の第一の電気機器では、シート体は、光源から入射されて透過する光線を表面に誘導する光誘導部が窓部と個々に対向する複数の位置の裏面に形成されていることにより、シート体を透過する光線が裏面の光誘導部で窓部に誘導されるので、窓部を良好に発光させることができる。
【００１２】
本発明の第二の電気機器では、シート体の光源と対向している部分が他部より分厚く形成されていることにより、光源から出射される光線がシート体の分厚い部分に入射されるので、シート体に入射される光量を増加させることができ、窓部を良好に発光させることができる。
【００１３】
本発明の第三の電気機器では、シート体の光源に対向している端面が凹状に形成されていることにより、光源から出射される光線がシート体の平面方向に拡散しても、その光線がシート体の端面に良好に入射されるので、シート体に入射される光量を増加させることができ、窓部を良好に発光させることができる。
【００１４】
本発明の第四の電気機器では、筐体の窓部が貫通孔からなり、窓部に個々に係合する複数の凸部がシート体の表面に形成されていることにより、シート体を透過する光線が窓部に露出している凸部から放射されるので、窓部を良好に発光させることができる。
【発明を実施するための最良の形態】
【００１５】
本発明の実施の一形態を図１ないし図４を参照して以下に説明する。なお、本形態では、図示するように前後左右上下の方向を規定して説明するが、これは説明を簡単とするために便宜的に規定するものであり、本発明を実施する場合の製造時や使用時の方向を限定するものではない。
【００１６】
本形態の携帯電話端末１００は、図１および図２に示すように、複数の透光性の窓部１１１が形成されている筐体１１０と、筐体１１０の内部に配置されている光源であるＬＥＤ(Light Emitting Diode)ユニット１２０と、表面１３１が筐体１１０の複数の窓部１１１に対向しているとともに端面１３３がＬＥＤユニット１２０に対向している透光性のシート体１３０と、を有している。
【００１７】
そして、本形態の携帯電話端末１００では、図２および図４に示すように、シート体１３０は、ＬＥＤユニット１２０から入射されて透過する光線を表面１３１に誘導する光誘導部１４０が、窓部１１１と個々に対向する複数の位置の裏面１３２に形成されている。
【００１８】
さらに、シート体１３０は、ＬＥＤユニット１２０と対向している端面１３３が、ＬＥＤユニット１２０に凹状の平面形状に形成されており、ＬＥＤユニット１２０と対向している部分１３４が、分厚く形成されている。
【００１９】
また、本形態の携帯電話端末１００では、筐体１１０は、窓部１１１が貫通孔からなり、図１および図４に示すように、シート体１３０は、窓部１１１に個々に係合する複数の凸部１３５が表面１３１に形成されている。
【００２０】
より詳細には、本形態の携帯電話端末１００は、いわゆる折畳構造に形成されており、ディスプレイ(図示せず)が搭載されている筐体１１０と、キーボード(図示せず)が搭載されている筐体(図示せず)と、が開閉自在に連結されている。ディスプレイの筐体１１０は表側カバーと裏側カバーからなるが、本形態では、その表側カバーを筐体１１０として以下に説明する。
【００２１】
この筐体１１０は、前後に細長く下面が開口したボックス状に不透明な樹脂で形成されており、前後左右に配列されている複数の窓部１１１が、上面から下面まで貫通した小径の丸孔として形成されている。
【００２２】
なお、本形態の携帯電話端末１００では、デザイン状の観点から、筐体１１０にダミーの窓部１１２も形成されているが、このダミーの窓部１１２は筐体１１０の表面に凹穴として形成されている。
【００２３】
シート体１３０は、無色透明の樹脂で形成されており、図１および図４に示すように、筐体１１０の窓部１１１に個々に係合する複数の小径の円形の凸部１３５が表面１３１に形成されている。
【００２４】
一方、シート体１３０は、裏面１３２には窓部１１１と個々に対向する複数の位置ごとに光誘導部１４０が形成されており、この光誘導部１４０は、白色の塗料の塗装により窓部１１１より大径の円形に形成されている。
【００２５】
また、シート体１３０は、図１ないし図３に示すように、ＬＥＤユニット１２０と対向している前方の端面１３３が矩形の凹状に形成されているので、端面１３３がＬＥＤユニット１２０に後方だけでなく左右からも対向している。
【００２６】
さらに、シート体１３０は、図２および図４に示すように、ＬＥＤユニット１２０と対向している部分１３４が裏側に扁平な半円錐状に突設されているため、この部分１３４が分厚く形成されている。
【００２７】
なお、シート体１３０は、後方の端面全体が円弧状に湾曲した凹状に形成されており、
その両端の裏面にも光誘導部１４０が形成されている。また、ＬＥＤユニット１２０は、各種回路が実装されている回路ユニット１２１に実装されており、例えば、この回路ユニット１２１に実装されているドライバ回路(図示せず)により駆動される。
【００２８】
また、図２に示すように、表側カバーである筐体１１０は、裏側カバーとの接合に利用される一対のボス１１４が裏面の前部左右に形成されており、これら一対のボス１１４に後方から個々に当接する一対のガイド部１３６が、シート体１３０の前部左右から前方に突設されている。
【００２９】
上述のような構成において、本形態の携帯電話端末１００では、例えば、着信時にＬＥＤユニット１２０が点灯される。すると、ＬＥＤユニット１２０から出射された光線がシート体１３０に入射され、シート体１３０の内部を透過する光線が裏面の複数の光誘導部１４０で散乱される。この複数の光誘導部１４０で散乱された光線はシート体１３０の表面から出射されるので、携帯電話端末１００の筐体１１０の複数の窓部１１１が発光する。
【００３０】
本形態の携帯電話端末１００では、上述のようにＬＥＤユニット１２０の光線をシート体１３０が複数の光誘導部１４０で散乱するので、一個のＬＥＤユニット１２０により複数の窓部１１１を発光させることができる。
【００３１】
しかも、その光誘導部１４０は、無色透明な透光性のシート体１３０の裏面に塗料を塗布することで形成されているので、光線を良好に散乱する光誘導部１４０が簡単な構造で形成されている。
【００３２】
しかも、光誘導部１４０は白色の塗料で形成されているので、例えば、ＬＥＤユニット１２０を多色に点灯させることにより、窓部１１１を良好に多色に発光させることができる。
【００３３】
さらに、シート体１３０は無色透明であるが、塗料により形成されている光誘導部１４０は不透明なので、窓部１１１から回路ユニット１２１が視認されるようなことはない。特に、光誘導部１４０は窓部１１１より大径なので、筐体１１０の表面が斜め方向から視認されても、窓部１１１から回路ユニット１２１が視認されることがない。
【００３４】
例えば、本発明者が試作した携帯電話端末１００では、シート体１３０の裏面１３２から凸部１３５の表面までの上下厚が１．０(mm)の状態で、窓部１１１を直径１．５(mm)、光誘導部１４０を直径２．０(mm)、としたところ、筐体１１０を斜め方向から視認しても窓部１１１から回路ユニット１２１が視認されないことが確認できた。
【００３５】
一方、上述のように白色の光誘導部が窓部１１１から視認されることになるので、例えば、筐体１１０が白色または白色に近い発色ならば、窓部１１１の外観をダミーの窓部１１２と同様とすることができる。
【００３６】
また、本形態の携帯電話端末１００では、シート体１３０の端面１３３が凹状の平面形状に形成されているので、ＬＥＤユニット１２０から左右方向に分散して出射される光線を、シート体１３０に良好に入射させることができる。このため、シート体１３０に入射される光量を増加させることができ、窓部１１１を良好に発光させることができる。
【００３７】
さらに、本形態の携帯電話端末１００では、シート体１３０のＬＥＤユニット１２０と対向している部分１３４が上下方向に分厚く形成されているので、ＬＥＤユニット１２０から上下方向に分散して出射される光線を、シート体１３０に良好に入射させることができる。このため、さらにシート体１３０に入射される光量を増加させることができ、より良好に窓部１１１を発光させることができる。
【００３８】
しかも、本形態の携帯電話端末１００では、シート体１３０の後方の端面が湾曲した凹状に形成されているので、ＬＥＤユニット１２０からシート体１３０の前面に入射された光線を湾曲した後面により左右方向に反射することができ、複数の窓部１１１を良好に発光させることができる。
【００３９】
さらに、本形態の携帯電話端末１００では、筐体１１０は、窓部１１１が貫通孔からなり、シート体１３０は、窓部１１１に個々に係合する複数の凸部１３５が表面１３１に形成されている。
【００４０】
このため、シート体１３０を透過する光線が窓部１１１に露出している凸部１３５から放射されるので、窓部１１１を良好に発光させることができる。さらに、筐体１１０とシート体１３０とを簡単な構造で確実に接合させることができ、複数の光誘導部１４０を複数の窓部１１１と確実に対向させることができる。
【００４１】
特に、本形態の携帯電話端末１００では、筐体１１０の裏面前部に一対のボス１１４が形成されており、これらのボス１１４に当接する一対のガイド部１３６がシート体１３０に形成されている。
【００４２】
このため、ガイド部１３６をボス１１４に当接させた状態でシート体１３０を筐体１１０に接合することにより、簡単にシート体１３０の凸部１３５を筐体１１０の窓部１１１に接合させることができる。
【００４３】
なお、本発明者は各種構造の携帯電話端末を試作し、本願発明の有効性を検証したので、これを以下に簡単に説明する。
【００４４】
まず、表面に凸部１３５が形成されていて裏面に光誘導部１４０が形成されていないシート体(図示せず)を形成したところ、その凸部１３５の表面は殆ど発光しないことが確認された。
【００４５】
また、裏面全体を一様に白色に塗装したシート体(図示せず)を形成したところ、シート体の表面全体が一様に発光することにより、窓部１１１の位置は微弱にしか発光しないことが確認された。
【００４６】
そこで、上述のように筐体１１０の複数の窓部１１１ごとにシート体１３０の裏面１３２に光誘導部１４０を形成することにより、シート体１３０を透過する光線が裏面１３２の複数の光誘導部１４０により表面１３１に散乱され、複数の窓部１１１が良好に発光することが確認された。
【００４７】
なお、本発明は上記形態に限定されるものではなく、その要旨を逸脱しない範囲で各種の変形を許容する。例えば、上記形態では筐体１１０の複数の窓部１１１を発光させる電気機器として携帯電話端末１００を例示したが、本発明は筐体の複数の窓部を発光させたい各種の電気機器に適用可能である。
【００４８】
また、上記形態では筐体１１０の窓部１１１が貫通孔からなり、その窓部１１１に個々に係合する凸部１３５がシート体１３０の表面１３１に形成されていることを例示したが、例えば、不透明な筐体に透明な窓部が形成されており、シート体の表面が平坦な携帯電話端末なども可能である(図示せず)。
【００４９】
さらに、上記形態ではシート体１３０の裏面１３２の光誘導部１４０が白色の塗料の塗装により形成されていることを例示したが、例えば、図５(ａ)に示すように、シート体１５０の裏面１５１に窓部１１１より充分に微細に形成した凹凸により、光誘導部１５２を形成することも可能である。
【００５０】
また、図５(ｂ)に示すように、シート体１５５の裏面１５６に窓部１１１と同等なサイズに形成した凹部により、光誘導部１５７を形成することも可能である。さらに、窓部１１１と同等なサイズの凹部の表面に微細な凹凸を形成したり白色の塗料を塗装するなど、上述の光誘導部１４０，１５２，１５７を組み合わせることも可能である(図示せず)。
【００５１】
微細な凹凸からなる光誘導部１５２は、シート体１５０の内部を透過する光線を表側に散乱するので、やはり筐体１１０の窓部１１１に光線を誘導することが可能である。また、凹部からなる光誘導部１５７は、シート体１５０の内部を透過する光線を表側に反射するので、やはり筐体１１０の窓部１１１に光線を誘導することが可能である。
【００５２】
また、上記形態ではシート体１３０の裏面１３２に光誘導部１４０が形成されていることを例示したが、シート体の表面に微細な凹凸などで光誘導部(図示せず)を形成することにより、シート体の内部を透過する光線を表面の光誘導部で散乱して表側に放射させるようなことも可能である。
【００５３】
さらに、上記形態ではシート体１３０の光誘導部１４０が白色の塗料により形成されていることを例示したが、これを銀色や金色の塗料により形成されていることも可能であり、筐体１１０と同等な発色の塗料により形成されていることも可能である。
【００５４】
塗料が銀色や金色の場合は、さらに窓部１１１を高輝度に発光させることが期待できる。また、塗料が筐体１１０と同等な発色の場合は、点灯していない窓部１１１と筐体１１０の表面とを、より一体的に見せることができる。
【００５５】
また、上記形態ではシート体１３０のＬＥＤユニット１２０と対向している部分１３４が裏側に突出することで分厚く形成されていることを例示したが、例えば、表側に突出することで分厚く形成されていることや、表側と裏側との両方に突出することで分厚く形成されていることも可能である(ともに図示せず)。
【００５６】
さらに、上記形態ではシート体１３０の前方の端面１３３が矩形の凹状に形成されていることを例示したが、例えば、円弧状に湾曲した凹状、三角形の凹状、多角形の凹状、微細な凹凸が内面に形成されている大型の凹状、等に形成されているようなことも可能である(何れも図示せず)。
【００５７】
反対に、シート体の前面が直線状に形成されていることも可能であり(図示せず)、この場合はシート体に入射される光量が低下するが、シート体の形状が単純なために生産性が向上する。
【００５８】
また、上記形態ではシート体１３０の前面のみに一個のＬＥＤユニット１２０が対向されていることを例示したが、例えば、シート体の前面と後面とに二個の光源が一個ずつ対向しているようなことも可能である(図示せず)。この場合でも、多数の窓部を少数の光源により発光させることができ、より均等に多数の窓部を発光させることが可能となる。
【００５９】
さらに、上記形態ではシート体１３０の前面にＬＥＤユニット１２０が直接に対向していることを例示したが、例えば、ＬＥＤユニットが反射ミラーなどを介して対向していることも可能であり(図示せず)、この場合は、反射ミラーとＬＥＤユニットとの組み合わせが光源として機能することになる。また、上記形態では光源としてＬＥＤユニット１２０を例示したが、これを、電球、ＥＬ(Electro-Luminescence)素子、半導体レーザ、等とすることも可能である。
【図面の簡単な説明】
【００６０】
【図１】本発明の実施の形態の電気機器である携帯電話端末の要部の組立構造を示す分解斜視図である。
【図２】携帯電話端末の要部の組立構造を示す分解斜視図である。
【図３】携帯電話端末の回路ユニットにシート体が組み付けられた状態を示す斜視図である。
【図４】携帯電話端末の要部の内部構造を示す縦断側面図である。
【図５】変形例の携帯電話端末の要部を示す縦断側面図である。
【符号の説明】
【００６１】
１００    携帯電話端末
１１０    筐体
１１１    窓部
１２０    ＬＥＤユニット
１３０，１５０，１５５    シート体
１３１    表面
１３２，１５１，１５６    裏面
１３３    端面
１３４    部分
１３５    凸部
１４０，１５２，１５７    光誘導部
【図１】
2007220341.tif 000003
【図２】
2007220341.tif 000004
【図３】
2007220341.tif 000005
【図４】
2007220341.tif 000006
【図５】
2007220341.tif 000007